(57)【要約】      （修正有）【課題】カップシール容器のシールを指の力が弱い人でも簡単に開封でき、中身を食べることを可能にする開封具の提供。【解決手段】カップシール容器６を片方の手で保持し、もう一方の手でカップシール容器のシール糊貼付用鍔７および当該鍔に貼付されたシール８の上下を、上部構造体１と終端部で固定された下部構造体３の先端部隙間に挿入し、下部構造体がカップシール容器の外側に当たる位置で止め、本体上部構造体の先端部下部に設けられた逆三角形の形状をした刃２を、シール糊貼付用鍔とカップシール容器の側壁が接する位置で、本体上部構造体の先端部下部および本体下部構造体を上下に挟むことで刃がシールを切り裂き、刃が刺された状態で、シール糊貼付用鍔のカップシール内壁に沿って左右のいずれかの方向に本体を水平に一周滑らせることでカップシール容器のシールを切り取ることを可能にする。【選択図】図７
2016033023.tif 000002
【特許請求の範囲】
【請求項１】
カップシール容器のシールをカップシール容器の内側に沿って切り取ることで開封することを可能にするカップシール開封具であって、本体上部構造体と下部構造体の先端部が任意の間隔を上下に有し終端部が繋がった状態でバネ状の構造を有する本体の上部構造体を下方へ押し下げたとき上部構造体先端下部に設けられたシール開封用の逆三角形の形状をした刃の真下の位置から下部構造体先端部までの間隔がカップシール容器の側壁厚みよりも長い間隔となる下部構造体で構成されたカップシール開封具。
【請求項２】
先端部に取り外しが可能な刃を装着できる構造とした本発明に係る本体の上部構造体。
【請求項３】
本体下部構造体の先端部上部に設けられた本発明に係る怪我防止用の突起部。
【発明の詳細な説明】
【技術分野】
【０００１】
カップシール容器は食品を効果的かつ衛生的に密閉するもので、世の中に広く流通しているものであるが指の力が弱い人にとっては、シールの引張用ベロを引っ張って剥がすことが出来ない。そのため包丁やカッターを使用してカップの内側の縁に沿ってシール表面に切り込みを入れるなど工夫して開封しなければ中身を食べることができなかった。本発明はかかるカップシール容器のシールを指の力が弱い人でも簡単に開封でき、中身を取り出すことを可能にするものを提供する。
【背景技術】
【０００２】
従来はカップシールを効果的に剥がすため、引張用のタブを大きくするなどの工夫がされているが、大きくするにも限度があった。また、左右に引張用のタブを付けることで引っ張りやすさを考えたものもあるが、いずれも指の力が弱い人向けに考えられたものではなかった。シール用の糊の接着力を低くすることも考えられるが簡単に剥がれると保管上の衛生面に問題が生じる。
【０００３】
本発明はカップシールの蓋の糊を剥がすことなく容器内側の縁に沿ってシール蓋に切り込みを入れ、シール蓋を切り離すことでカップの中身を食べることを可能にする。
【先行技術文献】
【特許文献】
【０００４】
【特許文献１】特許出願平１１−１７２５１９  これは幼児がシール蓋を完全に取り除こうとした場合、容易に取り除きやすい構造のカップシールであるが、シールを剥がすための必要最低限の引っ張る力がなければならない。
【非特許文献】
【０００５】
【非特許文献１】本発明に係る非特許文献は見当たらない。
【発明の概要】
【発明が解決しようとする課題】
【０００６】
本発明の目的は、カップシール容器のシールを剥がさなくても簡単な操作でシールを開封し中身を取り出すことを可能にするものである。
【課題を解決するための手段】
【０００７】
カップシール容器を片方の手で保持し、もう一方の手と指でカップシール容器の上部周囲に水平に設けられたシール糊貼付用鍔および当該鍔に貼付されたシールの上下に本発明に係る上部構造体と終端部で繋がった下部構造体の先端部隙間に挿入し、下部構造体がカップシール容器の外側に当たる位置で止め本体上部構造体の先端部下部に設けられた逆三角形の形状をした刃をカップシール容器の上部周囲に貼り付けられたシール糊貼付用鍔とカップシール容器の側壁が接する位置で本体上部構造体の先端部下部および本体下部構造体を親指と人差し指とで上下に挟むことでシール表面に本体上部構造体の先端部下部に設けられた刃がシールを切り裂き、刃が刺された状態で本体を任意の方向へ水平移動させることが可能な状態に親指と人差し指の挟む力を加減しながらシール糊貼付用鍔のカップシール内壁に沿って左右のいずれかの方向に本体を水平に一周滑らせることでカップシール容器のシールを切り取ることを可能にする。
【発明の効果】
【０００８】
本発明により、指の力の弱い人も簡単にカップシール容器の中身を取り出すことが可能となる。また、指でカップシールのベロを引っ張って剥がすとき力が余ってカップシール容器から中身が飛び出すことが無くなる。
【図面の簡単な説明】
【０００９】
【図１】本発明の実施例Ａを示す斜視図である。
【図２】本発明の実施例Ａの平面図である。
【図３】本発明の実施例Ａの正面図である。
【図４】本発明の実施例Ａの左側面図である。
【図５】本発明の実施例Ａの背面図である。
【図６】本発明の実施例Ａの底面図である。
【図７】本発明の実施例Ａの切り込み前を示す部分側面図である。
【図８】本発明の実施例Ａの切り込み後を示す部分側面図である。
【図９】本発明の実施例Ｂを示す斜視図である。
【図１０】本発明の実施例Ｂの平面図である。
【図１１】本発明の実施例Ｂの正面図である。
【図１２】本発明の実施例Ｂの左側面図である。
【図１３】本発明の実施例Ｂの背面図である。
【図１４】本発明の実施例Ｂの刃の正面図である。
【図１５】本発明の実施例Ｂの底面図である。
【図１６】本発明の実施例Ｂのa-a'拡大断面図である。
【発明を実施するための形態】
【００１０】
本発明の材質を金属にする場合はシールを切り裂く刃を本体材質と同一にすることができる利点がある。材質を金属以外のものとする場合は上部構造体に金属の刃を装着させる構造が必要となるが、硬質樹脂の材質および加工方法によっては刃を本体材質と同一とすることも可能と思われる。
【実施例】
【００１１】
以下、本発明の請求項１の実施例の一つであるAを図７および図８に基づいて説明する。実施例Ａは材質を金属としたものでカップシール容器６の上部周囲に水平に設けられたシール糊貼付用鍔７および当該鍔７に貼付されたシール８の上下に本発明に係る上部構造体１と終端部を曲げて繋がれた下部構造体３の先端部隙間に挿入し、下部構造体３の先端部５がカップシール容器６の外側に当たる位置で止め本体上部構造体１の先端部下部に設けられた逆三角形の形状の刃２をカップシール容器６の上部周囲に貼り付けられたシール糊貼付用鍔７とカップシール容器６の側壁が接する位置のシール中心に向かった内側で本体上部構造体１および本体下部構造体３を親指と人差し指とで上下に挟むことでシール８表面に本体上部構造体の先端部下部に設けられた逆三角形の刃２がシール８を切り裂き、刃２が刺された状態で本体を任意の方向へ水平移動させることが可能な状態に親指と人差し指の挟む力を加減しながらシール糊貼付用鍔７のカップシール内壁に沿って左右のいずれかの方向に本体を水平に滑らせ周囲を一周することでカップシール容器６のシール８を切り取ることを可能にする。
本発明の請求項２の実施例は材質を樹脂としたもので実施例のＢとして図９から図１６までに記載されており、使用方法は実施例のＡと同じである。実施例のＢでは本体上部構造体の先端部下部に刃２’の着脱可能刃格納スペース９が設けられている。
本発明の請求項３の実施例は本体上部構造体１および本体下部構造体３との隙間に幼児が誤って指を挿入しても刃に直接指が触れないようにするためと、シール開封を行わないときに親指と人差し指とで上下に挟んでも本体上部構造体の先端部に設けられた逆三角形の刃が下部構造体の先端部の底面よりも下がらない構造とするために設けられた図７の突起部４および図１６の突起部４’により指の怪我を防止できる。
【産業上の利用可能性】
【００１２】
カップシールは食品を効果的かつ衛生的に密閉するもので、世の中に広く流通しているものであるが、指の力が弱い人にとっては、シールの引張用ベロを引っ張って剥がすことが出来ない。そのため包丁やカッターを使用してカップの内側の縁に沿ってシール表面に切り込みを入れるなど工夫して開封しなければ中身を食べることができなかった。また、力を加えすぎてシールが剥がれる際に中身が飛び出してしまうこともあった。本発明はかかるカップシール容器のシールを指の力が弱い人でも簡単に開封でき、中身を取り出すことが簡単にできることを可能にする。  
【符号の説明】
【００１３】
１本体上部構造体、  ２刃、  ２’着脱可能刃、  ３下部構造体、  ４本体下部突起部、  ４’本体下部突起部  ５本体下部先端部、  ６カップシール容器、  ７シール糊貼付用鍔、  ８シール、  ９着脱可能刃格納スペース
【図１】
2016033023.tif 000003
【図２】
2016033023.tif 000004
【図３】
2016033023.tif 000005
【図４】
2016033023.tif 000006
【図５】
2016033023.tif 000007
【図６】
2016033023.tif 000008
【図７】
2016033023.tif 000009
【図８】
2016033023.tif 000010
【図９】
2016033023.tif 000011
【図１０】
2016033023.tif 000012
【図１１】
2016033023.tif 000013
【図１２】
2016033023.tif 000014
【図１３】
2016033023.tif 000015
【図１４】
2016033023.tif 000016
【図１５】
2016033023.tif 000017
【図１６】
2016033023.tif 000018
【手続補正書】
【提出日】平成27年1月7日(2015.1.7)
【手続補正１】
【補正対象書類名】図面
【補正対象項目名】全図
【補正方法】変更
【補正の内容】
【図１】
2016033023.tif 000019
【図２】
2016033023.tif 000020
【図３】
2016033023.tif 000021
【図４】
2016033023.tif 000022
【図５】
2016033023.tif 000023
【図６】
2016033023.tif 000024
【図７】
2016033023.tif 000025
【図８】
2016033023.tif 000026
【図９】
2016033023.tif 000027
【図１０】
2016033023.tif 000028
【図１１】
2016033023.tif 000029
【図１２】
2016033023.tif 000030
【図１３】
2016033023.tif 000031
【図１４】
2016033023.tif 000032
【図１５】
2016033023.tif 000033
【図１６】
2016033023.tif 000034
【手続補正書】
【提出日】平成27年3月26日(2015.3.26)
【手続補正１】
【補正対象書類名】特許請求の範囲
【補正対象項目名】請求項２
【補正方法】変更
【補正の内容】
【請求項２】
前記上部構造体が、先端部に取り外しが可能な刃を装着できる構造である請求項１に記載のカップシール開封具
【手続補正２】
【補正対象書類名】特許請求の範囲
【補正対象項目名】請求項３
【補正方法】変更
【補正の内容】
【請求項３】
前記下部構造体が、先端部に怪我防止用の突起部を有する請求項１又は２に記載のカップシール開封具